(57)【要約】塗料吹付けブースにおける過剰吹付けされた塗料を処理するための組成物および方法が提供される。この方法は、この塗料過剰吹付けを、凝析剤を含む攪拌された溶液を含む洗浄水システムと接触させ、その結果、この攪拌された溶液中の塗料過剰吹付けを回収する工程を包含する。この塗料過剰吹付けを含む溶液は、その溶液を、塗料過剰吹付けを含む有機相と水相とに自然に相分離させるように、相対的に攪拌されていない領域を通される。有機樹脂、および必要に応じて顔料、ならびに必要に応じて有機溶媒を含む塗料固形物部分を含む塗料過剰吹付けを含む有機相は、この水相から分離される。塗料吹付けブースにおける過剰吹付けを処理するためのこの洗浄水システムは、この系から上記塗料固形物、および必要に応じて有機溶媒を沈殿させるのに有効な量の凝析剤を含む。【特許請求の範囲】
【請求項１】
塗料吹付けブースにおける塗料の過剰吹付けを除去する方法であって、該塗料の過剰吹付けが、塗料固形分部分、および必要に応じて有機溶媒部分を含み、該塗料固形分部分が、有機樹脂、および必要に応じて顔料を含み：
該塗料過剰吹付けを、該塗料過剰吹付けを収集するように、凝析剤を含む撹拌溶液を含む洗浄水システムと接触する工程；
該塗料過剰吹付けを含む溶液を、撹拌の比較的ない領域に、該溶液が塗料過剰吹付けを含む有機相と水相とに自然に相分離するよう通過させる工程；ならびに
該塗料固形分部分を含む塗料過剰吹付けであって、有機樹脂、および必要に応じて顔料、ならびに必要に応じて有機溶媒部分を含む塗料過剰吹付けを含む有機相を、該水相から分離する工程、を包含する、方法。
【請求項２】
前記有機相を処理する工程であって、前記塗料固形分の少なくとも一部分を前記有機溶媒部分から分離する工程をさらに包含する、請求項１に記載の方法。
【請求項３】
前記有機溶媒部分を、前記塗料過剰吹付けとの次の接触のために前記撹拌溶液で分散する工程をさらに包含する、請求項２に記載の方法。
【請求項４】
前記塗料固形分を回収する工程をさらに包含する、請求項２に記載の方法。
【請求項５】
前記有機相が蒸留され、蒸留物中の有機溶媒部分を回収する、請求項２に記載の方法。
【請求項６】
前記有機相が遠心分離され、遠心分離物中の有機溶媒部分を回収する、請求項２に記載の方法。
【請求項７】
前記有機相が薄膜蒸発に供され、蒸留物中の有機溶媒部分を回収する、請求項２に記載の方法。
【請求項８】
分離された水相が、塗料過剰吹付けとの次の接触のため、前記有機溶媒構成要素を分散するために再利用される、請求項１に記載の方法。
【請求項９】
前記塗料過剰吹付けの少なくとも一部分を前記撹拌の比較的ない領域から除去する工程、および、前記凝析剤を前記吹付けブースへの再循環のために該一部分に添加する工程をさらに包含する、請求項１に記載の方法。
【請求項１０】
前記過剰吹付けが、水性塗料である、請求項１に記載の方法。
【請求項１１】
前記凝析剤が、カチオン性である、請求項１に記載の方法。
【請求項１２】
前記凝析剤が、ジアルキルアミノアルキル（メタ）クリレートポリマーを含む、請求項１に記載の方法。
【請求項１３】
前記凝析剤が、金属錯塩をさらに含む、請求項１２に記載の方法。
【請求項１４】
前記金属錯塩が、アルミニウム塩である、請求項１３に記載の方法。
【請求項１５】
前記金属錯塩が、塩化アルミニウム水和物、硫酸アルミニウム、塩化亜鉛、塩化鉄、塩化カルシウム、水酸化マグネシウム、およびそれらの混合物からなる群から選択される、請求項１３に記載の方法。
【請求項１６】
前記ジアルキルアミノアルキル（メタ）クリレートポリマーが、ジメチルアミノエチルメタクリレートポリマーである、請求項１２に記載の方法。
【請求項１７】
前記凝析剤が、ヘキソサンポリマーを含む、請求項１に記載の方法。
【請求項１８】
前記凝析剤が、金属錯塩をさらに含む、請求項１７に記載の方法。
【請求項１９】
前記金属錯塩が、アルミニウム塩である、請求項１８に記載の方法。
【請求項２０】
前記金属錯塩が、塩化アルミニウム水和物、硫酸アルミニウム、塩化亜鉛、塩化鉄、塩化カルシウム、水酸化マグネシウム、およびそれらの混合物からなる群から選択される、請求項１８に記載の方法。
【請求項２１】
前記ヘキソサンポリマーが、アミロペクチンポリマーである、請求項１７に記載の方法。
【請求項２２】
前記凝析剤が、モンモリロナイト含有粘土を含む、請求項１に記載の方法。
【請求項２３】
前記凝析剤が、アクリルポリマーをさらに含む、請求項２２に記載の方法。
【請求項２４】
前記モンモリロナイト含有粘土が、ベントナイト粘土である、請求項２２に記載の方法。
【請求項２５】
前記凝析剤が、ポリ［オキシアルキレン（ジアルキルイミノ）アルキレン］ポリマー溶液を含む、請求項１に記載の方法。
【請求項２６】
前記ポリ［オキシアルキレン（ジアルキルイミノ）アルキレン］ポリマーが、ポリ［オキシアルキレン（ジメチルイミノ）エチレン］である、請求項２５に記載の方法。
【請求項２７】
前記凝析剤が、エピハロヒドリン／ジアルキルアミンポリマー溶液を含む、請求項１に記載の方法。
【請求項２８】
前記エピハロヒドリン／ジアルキルアミンポリマーが、エピクロロヒドリン／ジメチルアミンポリマーである、請求項２７に記載の方法。
【請求項２９】
前記凝析剤が、ポリジアリルジアルキルアンモニウムハライドポリマーを含む、請求項１に記載の方法。
【請求項３０】
前記ポリジアリルジアルキルアンモニウムハライドポリマーが、塩化ポリジアリルジメチルアンモニウムである、請求項２９に記載の方法。
【請求項３１】
前記凝析剤が、ポリエピアミンを含む、請求項１に記載の方法。
【請求項３２】
前記凝析剤が、金属錯塩をさらに含む、請求項３１に記載の方法。
【請求項３３】
前記金属錯塩が、アルミニウム塩である、請求項３２に記載の方法。
【請求項３４】
前記金属錯塩が、塩化アルミニウム水和物、硫酸アルミニウム、塩化亜鉛、塩化鉄、塩化カルシウム、水酸化マグネシウム、およびそれらの混合物からなる群から選択される、請求項３２に記載の方法。
【請求項３５】
前記凝析剤が、電解質／ジアルキルアミンエピハロヒドリンを含む、請求項１に記載の方法。
【請求項３６】
前記電解質／ジアルキルアミンエピハロヒドリンが、塩化ナトリウム／ジメチルアミンエピクロロヒドリンである、請求項３５に記載の方法。
【請求項３７】
前記凝析剤が、ハライド／ジアルキルアミン−エピハロヒドリン−アルキレンジアミンポリマーを含む、請求項１に記載の方法。
【請求項３８】
前記ハライド／ジアルキルアミン−エピハロヒドリン−アルキレンジアミンポリマーが、塩化物／ジメチルアミン−エピクロロヒドリン−エチレンジアミンポリマーである、請求項３７に記載の方法。
【請求項３９】
前記凝析剤が：
ａ）ジアルキルアミノアルキル（メタ）アクリレートポリマー；
ｂ）ヘキソサンポリマー；
ｃ）モンモリロナイト含有粘土；
ｄ）ポリ［オキシアルキレン（ジアルキルイミノ）アルキレン］ポリマー溶液；
ｅ）エピハロヒドリン／ジアルキルアミンポリマー；
ｆ）ポリジアリルジアルキルアンモニウムハライドポリマー；
ｇ）ポリエピアミン；
ｈ）電解質／ジアルキルアミンエピハロヒドリン；および
ｉ）ハライド／ジアルキルアミン−エピハロヒドリン−アルキレンジアミンポリマー；およびこれら混合物からなる群から選択される、構成要素を含む、請求項１に記載の方法。
【請求項４０】
前記凝析剤が：
１）前記ａ）からｉ）の少なくとも１つ；および
２）キトサン、の混合物である、請求項３９に記載の方法。
【請求項４１】
前洗浄水システムが分散溶液を形成するための撹拌有機溶媒構成要素をさらに備え、該有機溶媒構成要素が、１５重量％より少ない水中溶解度を有するとして特徴付けられ、そしてそこで、水が該有機溶媒構成要素中に１５重量％より少ない程度まで可溶であり、該重量％が有機溶媒構成要素と水との重量に基づく、請求項１に記載の方法。
【請求項４２】
前記分散溶液が撹拌の存在下で安定であるが、撹拌の不在下では不安定である、請求項４１に記載の方法。
【請求項４３】
前記有機溶媒構成要素が、１〜５重量％の水中溶解度を有する、請求項４１に記載の方法。
【請求項４４】
水が、１〜５重量％の範囲までの前記有機溶媒構成要素中の溶解度を有する、請求項４１に記載の方法。
【請求項４５】
前記有機溶媒構成要素が、０．１ｍｍ水銀より小さい蒸気圧を有する、請求項４１に記載の方法。
【請求項４６】
前記有機溶媒構成要素が、０．９０〜０．９５または１．０５〜１．１０の比重を有する、請求項４１に記載の方法。
【請求項４７】
前記有機溶媒構成要素の溶液が、洗浄水吹付けブース中の溶液のポンプ輸送および循環作用によって撹拌される、請求項４１に記載の方法。
【請求項４８】
前記有機溶媒構成要素が、水および有機溶媒構成要素の重量を基に２〜５０重量％の量で前記溶液中に存在する、請求項４１に記載の方法。
【請求項４９】
前記有機溶媒構成要素が、水および有機溶媒構成要素の重量を基に１５〜２５重量％の量で前記溶液中に存在する、請求項４８に記載の方法。
【請求項５０】
前記有機溶媒構成要素が、以下の構造を有する二塩基酸のジアルキルエステルを含み：
【化１】
2006525871.tif 000004
ここで、ＲおよびＲ’は同じかまたは異なり、そして１〜６の炭素原子を含むアルキル基であり、そしてＸは２〜１２の炭素原子を含むアルキレン基であるか、またはこのようなエステルの混合物である、請求項４１に記載の方法。
【請求項５１】
前記二塩基酸のジアルキルエステルが、アジピン酸ジメチル、グルタル酸ジメチル、コハク酸ジメチルおよびそれらの混合物からなる群から選択される、請求項５０に記載の方法。
【請求項５２】
前記有機溶媒構成要素が、グリコールエーテルまたはグリコールエーテルの混合物を含む、請求項４１に記載の方法。
【請求項５３】
塗料吹付けブースにおける塗料の過剰吹付けを除去する方法であって、該塗料の過剰吹付けが、塗料固形分部分、および必要に応じて有機溶媒部分を含み、該塗料固形分部分が、有機樹脂、および必要に応じて顔料を含み：
該塗料過剰吹付けを、撹拌溶液中で該塗料過剰吹付けを収集するように、凝析剤を含む撹拌溶液を含む洗浄水システムと接触する工程；
該塗料過剰吹付けを含む溶液を、撹拌の比較的ない領域に、該溶液が塗料過剰吹付けを含む有機相と水相とに自然に相分離するよう通過させる工程；
該塗料固形分部分を含む塗料過剰吹付けを含む有機相であって、有機樹脂、および必要に応じて顔料、ならびに必要に応じて有機溶媒部分を含む塗料過剰吹付けを含む有機相を、該水相から分離する工程；
該塗料固形分の少なくとも一部分を該有機溶媒部分から分離するために該有機相を処理する工程、を包含する、方法。
【請求項５４】
前記有機溶媒部分を、前記塗料過剰吹付けとの次の接触のために、前記撹拌溶液で分散する工程をさらに包含する、請求項５３に記載の方法。
【請求項５５】
前記塗料固形分を回収する工程をさらに包含する、請求項５４に記載の方法。
【請求項５６】
前記水相を、前記塗料過剰吹付けとの接触のために再循環する工程をさらに包含する、請求項５３に記載の方法。
【請求項５７】
前記比較的撹拌のない領域から前記塗料過剰吹付けの少なくとも一部分を除去する工程、および前記凝析剤をそれに、前記吹付けブースへの再循環のために添加する工程をさらに包含する、請求項５３に記載の方法。
【請求項５８】
前記塗料過剰吹付けが、水性塗料である、請求項５３に記載の方法。
【請求項５９】
前記有機相が蒸留され、蒸留物中の有機溶媒部分を回収する、請求項５３に記載の方法。
【請求項６０】
前記有機相が遠心分離され、遠心分離物中の有機溶媒部分を回収する、請求項５３に記載の方法。
【請求項６１】
前記有機相が薄膜蒸発に供され、蒸留物中の有機溶媒部分を回収する、請求項５３に記載の方法。
【請求項６２】
分離された水相が、塗料過剰吹付けとの次の接触のため、前記有機溶媒構成要素を分散するために再利用される、請求項５３に記載の方法。
【請求項６３】
前記凝析剤が：
ａ）ジアルキルアミノアルキル（メタ）アクリレートポリマー；
ｂ）ヘキソサンポリマー；
ｃ）モンモリロナイト含有粘土；
ｄ）ポリ［オキシアルキレン（ジアルキルイミノ）アルキレン］ポリマー溶液；
ｅ）エピハロヒドリン／ジアルキルアミンポリマー；
ｆ）ポリジアリルジアルキルアンモニウムハライドポリマー；
ｇ）ポリエピアミン；
ｈ）電解質／ジアルキルアミンエピハロヒドリン；および
ｉ）ハライド／ジアルキルアミン−エピハロヒドリン−アルキレンジアミンポリマー；およびこれら混合物からなる群から選択される、構成要素を含む、請求項５３に記載の方法。
【請求項６４】
前記凝析剤が：
１）前記ａ）からｉ）の少なくとも１つ；および
２）キトサン、の混合物である、請求項５３に記載の方法。
【請求項６５】
塗料吹付けブースにおける塗料の過剰吹付けを処理するための洗浄水シテテムであって、該塗料の過剰吹付けが、塗料固形分部分、および必要に応じて有機溶媒部分を含み、該塗料固形分部分が、有機樹脂、および必要に応じて顔料を含み：
該システムから、該塗料固形分の少なくとも一部分を沈殿することで有効な量の凝析剤、および必要に応じて有機溶媒を含む、システム。
【請求項６６】
前記凝析剤が、前記洗浄水システムの総重量に基づき、０．００５から１．０重量％までの範囲の量で提供される、請求項６５に記載のシステム。
【請求項６７】
前記凝析剤が、前記洗浄水システムの総重量に基づき、０．０５から０．２重量％までの範囲の量で提供される、請求項６５に記載のシステム。
【請求項６８】
前記塗料過剰吹付けが、水性塗料である、請求項６５に記載のシステム。
【請求項６９】
前記凝析剤が、カチオン性である、請求項６５に記載のシステム。
【請求項７０】
前記凝析剤が、ジアルキルアミノアルキル（メタ）クリレートポリマーを含む、請求項６５に記載のシステム。
【請求項７１】
前記凝析剤が、金属錯塩をさらに含む、請求項７０に記載のシステム。
【請求項７２】
前記金属錯塩が、アルミニウム塩である、請求項７１に記載のシステム。
【請求項７３】
前記金属錯塩が、塩化アルミニウム水和物、硫酸アルミニウム、塩化亜鉛、塩化鉄、塩化カルシウム、水酸化マグネシウム、およびそれらの混合物からなる群から選択される、請求項７１に記載のシステム。
【請求項７４】
前記金属錯塩が、前記凝析剤の総重量を基に、２〜４０重量％の量で提供される、請求項７１に記載のシステム。
【請求項７５】
前記ジアルキルアミノアルキル（メタ）クリレートポリマーが、ジメチルアミノエチルメタクリレートポリマーである、請求項７０に記載のシステム。
【請求項７６】
前記ジアルキルアミノアルキル（メタ）クリレートポリマーが、前記洗浄水システムの総重量を基に、０．００５〜１．０重量％の量で提供される、請求項７０に記載のシステム。
【請求項７７】
前記凝析剤が、ヘキソサンポリマーを含む、請求項６５に記載のシステム。
【請求項７８】
前記凝析剤が、金属錯塩をさらに含む、請求項７７に記載のシステム。
【請求項７９】
前記金属錯塩が、アルミニウム塩である、請求項７８に記載のシステム。
【請求項８０】
前記金属錯塩が、塩化アルミニウム水和物、硫酸アルミニウム、塩化亜鉛、塩化鉄、塩化カルシウム、水酸化マグネシウム、およびそれらの混合物からなる群から選択される、請求項７８に記載のシステム。
【請求項８１】
前記金属錯塩が、前記凝析溶液の総重量を基に、２〜４０重量％の量で提供される、請求項７８に記載のシステム。
【請求項８２】
前記ヘキソサンポリマーが、アミロペクチンポリマーである、請求項７７に記載のシステム。
【請求項８３】
前記ヘキソサンポリマーが、前記洗浄水システムの総重量を基に、０．００５〜約１．０重量％の量で提供される、請求項７７に記載のシステム。
【請求項８４】
前記凝析剤が、モンモリロナイト含有粘土を含む、請求項６５に記載のシステム。
【請求項８５】
前記凝析剤が、アクリルポリマーをさらに含む、請求項８４に記載のシステム。
【請求項８６】
前記モンモリロナイト含有粘土が、ベントナイト粘土である、請求項８４に記載のシステム。
【請求項８７】
前記モンモリロナイト含有粘土が、前記凝析剤の総重量を基に、１〜２５重量％の量で提供される、請求項８４に記載のシステム。
【請求項８８】
前記アクリルポリマーが、前記凝析剤の総重量を基に、０．０１〜１．０重量％の量で提供される、請求項８５に記載のシステム。
【請求項８９】
前記凝析剤が、ポリ［オキシアルキレン（ジアルキルイミノ）アルキレン］ポリマー溶液を含む、請求項６５に記載のシステム。
【請求項９０】
前記ポリ［オキシアルキレン（ジアルキルイミノ）アルキレン］ポリマー溶液が、ポリ［オキシアルキレン（ジメチルイミノ）エチレン］ポリマー溶液である、請求項８９に記載のシステム。
【請求項９１】
前記ポリ［オキシアルキレン（ジアルキルイミノ）アルキレン］ポリマーが、前記洗浄水システムの総重量を基に、０．００５〜１．０重量％の量で提供される、請求項８９に記載のシステム。
【請求項９２】
前記凝析剤が、エピハロヒドリン／ジアルキルアミンポリマー溶液を含む、請求項６５に記載のシステム。
【請求項９３】
前記エピハロヒドリン／ジアルキルアミンポリマーが、エピクロロヒドリン／ジメチルアミンポリマーである、請求項９２に記載のシステム。
【請求項９４】
前記エピハロヒドリン／ジアルキルアミンポリマーが、前記洗浄水システムの総重量を基に、０．００５〜１．０重量％の量で提供される、請求項９２に記載のシステム。
【請求項９５】
前記凝析剤が、ポリジアリルジアルキルアンモニウムハライドポリマーを含む、請求項６５に記載のシステム。
【請求項９６】
前記ポリジアリルジアルキルアンモニウムハライドポリマーが、塩化ポリジアリルジメチルアンモニウムポリマーである、請求項９５に記載のシステム。
【請求項９７】
前記ポリジアリルジアルキルアンモニウムハライドポリマーが、前記洗浄水システムの総重量を基に、０．００５〜１．０重量％の量で提供される、請求項９５に記載のシステム。
【請求項９８】
前記凝析剤が、ポリエピアミンを含む、請求項６５に記載のシステム。
【請求項９９】
前記凝析剤が、金属錯塩をさらに含む、請求項９８に記載のシステム。
【請求項１００】
前記金属錯塩が、塩化アルミニウム水和物、硫酸アルミニウム、塩化亜鉛、塩化鉄、塩化カルシウム、水酸化マグネシウム、およびそれらの混合物からなる群から選択される、請求項９９に記載のシステム。
【請求項１０１】
前記金属錯塩が、塩化アルミニウム水和物である、請求項９９に記載のシステム。
【請求項１０２】
前記金属錯塩が、前記凝析剤溶液の総重量を基に、約２〜約４０重量％の量で提供される、請求項９９に記載のシステム。
【請求項１０３】
前記ポリエピアミンが、前記洗浄水システムの総重量を基に、０．００５〜約１．０重量％の量で提供される、請求項９８に記載のシステム。
【請求項１０４】
前記凝析剤が、電解質／ジアルキルアミンエピハロヒドリンを含む、請求項６５に記載のシステム。
【請求項１０５】
前記電解質／ジアルキルアミンエピハロヒドリンが、塩化ナトリウム／ジメチルアミンエピクロヒドリンである、請求項１０４に記載のシステム。
【請求項１０６】
前記電解質／ジアルキルアミンエピハロヒドリンが、前記洗浄水システムの総重量を基に、０．００５〜１．０重量％の量で提供される、請求項１０４に記載のシステム。
【請求項１０７】
前記凝析剤が、ハライド／ジアルキルアミン−エピハロヒドリン−アルキレンジアミンポリマーを含む、請求項６５に記載のシステム。
【請求項１０８】
前記ハライド／ジアルキルアミン−エピハロヒドリン−アルキレンジアミンポリマーが、塩化物／ジメチルアミン−エピクロロヒドリン−エチレンジアミンポリマーである、請求項１０７に記載のシステム。
【請求項１０９】
前記ハライド／ジアルキルアミン−エピハロヒドリン−アルキレンジアミンポリマーが、前記洗浄水システムの総重量を基に、０．００５〜約１．０重量％の量で提供される、請求項１０７に記載のシステム。
【請求項１１０】
前記凝析剤が：
ａ）ジアルキルアミノアルキル（メタ）アクリレートポリマー；
ｂ）ヘキソサンポリマー；
ｃ）モンモリロナイト含有粘土；
ｄ）ポリ［オキシアルキレン（ジアルキルイミノ）アルキレン］ポリマー溶液；
ｅ）エピハロヒドリン／ジアルキルアミンポリマー；
ｆ）ポリジアリルジアルキルアンモニウムハライドポリマー；
ｇ）ポリエピアミン；
ｈ）電解質／ジアルキルアミンエピハロヒドリン；および
ｉ）ハライド／ジアルキルアミン−エピハロヒドリン−アルキレンジアミンポリマー；およびこれら混合物からなる群から選択される、構成要素を含む、請求項６５に記載のシステム。
【請求項１１１】
前記凝析剤が：
１）前記ａ）からｉ）の少なくとも１つ；および
２）キトサン、の混合物である、請求項１１０に記載のシステム。
【請求項１１２】
前記ジアルキルアミノアルキル（メタ）クリレートポリマーが、ジメチルアミノエチルメタクリレートポリマーである、請求項１１０に記載のシステム。
【請求項１１３】
前記ａ）、ｂ）、およびｇ）の凝析剤が、塩化アルミニウム水和物、硫酸アルミニウム、塩化亜鉛、塩化鉄、塩化カルシウム、水酸化マグネシウム、およびそれらの混合物からなる群から選択される金属錯塩を含む、請求項１１０に記載のシステム。
【請求項１１４】
前記金属錯塩が、前記凝析剤溶液の総重量を基に、約２〜約４０重量％の量で提供される、請求項１１３に記載のシステム。
【請求項１１５】
前記ヘキソサンポリマーが、アミノペクチンポリマーである、請求項１１０に記載のシステム。
【請求項１１６】
前記モンモリロナイト含有粘土が、ベントナイト粘土である、請求項１１０に記載のシステム。
【請求項１１７】
前記モンモリロナイト粘土が、前記凝析剤溶液の総重量を基に、１〜２５重量％の量で提供される、請求項１１６に記載のシステム。
【請求項１１８】
前記ポリ［オキシアルキレン（ジアルキルイミノ）アルキレン］ポリマー溶液が、ポリ［オキシアルキレン（ジメチルイミノ）エチレン］ポリマー溶液である、請求項１１０に記載のシステム。
【請求項１１９】
前記エピハロヒドリン／ジアルキルアミンポリマーが、エピクロロヒドリン／ジメチルアミンポリマーである、請求項１１０に記載のシステム。
【請求項１２０】
前記ポリジアリルジアルキルアンモニウムハライドポリマーが、塩化ポリジアリルジメチルアンモニウムである、請求項１１０に記載のシステム。
【請求項１２１】
前記電解質／ジアルキルアミンエピハロヒドリンが、塩化ナトリウム／ジメチルアミンエピクロヒドリンである、請求項１１０に記載のシステム。
【請求項１２２】
前記ハライド／ジアルキルアミン−エピハロヒドリン−アルキレンジアミンが、塩化物／ジメチルアミン−エピクロロヒドリン−エチレンジアミンポリマーである、請求項１１０に記載のシステム。
【請求項１２３】
撹拌有機溶媒構成要素をさらに含み、該有機溶媒構成要素が、１５重量％より少ない水中溶解度を有するとして特徴付けられ、そしてそこで、水が該有機溶媒構成要素中に１５重量％より少ない程度まで可溶であり、該重量％が有機溶媒構成要素と水との重量に基づく、請求項１１０に記載のシステム。
【請求項１２４】
前記システムが撹拌の存在下で安定であるが、撹拌の不在下では不安定である、請求項１２３に記載のシステム。
【請求項１２５】
前記有機溶媒構成要素が、１〜５重量％の水中溶解度を有する、請求項１２３に記載のシステム。
【請求項１２６】
水が、１〜５重量％の範囲までの前記有機溶媒構成要素中の溶解度を有する、請求項１２３に記載のシステム。
【請求項１２７】
前記有機溶媒構成要素が、０．１ｍｍ水銀より小さい蒸気圧を有する、請求項１２３に記載のシステム。
【請求項１２８】
前記有機溶媒構成要素が、０．９０〜０．９５または１．０５〜１．１０の比重を有する、請求項１２３に記載のシステム。
【請求項１２９】
前記水中の有機溶媒構成要素の溶液が、洗浄水吹付けブース中の溶液のポンプ輸送および循環作用によって撹拌される、請求項１２３に記載のシステム。
【請求項１３０】
前記有機溶媒構成要素が、水および有機溶媒構成要素の重量を基に２〜５０重量％の量で前記溶液中に存在する、請求項１２３に記載のシステム。
【請求項１３１】
前記有機溶媒構成要素が、水および有機溶媒構成要素の重量を基に１５〜２５重量％の量で前記溶液中に存在する、請求項１３０に記載のシステム。
【請求項１３２】
前記有機溶媒構成要素が、以下の構造を有する二塩基酸のジアルキルエステルを含み：
【化２】
2006525871.tif 000005
ここで、ＲおよびＲ’は同じかまたは異なり、そして１〜６の炭素原子を含むアルキル基であり、そしてＸは２〜１２の炭素原子を含むアルキレン基であるか、またはこのようなエステルの混合物である、請求項１２３に記載のシステム。
【請求項１３３】
前記二塩基酸のジアルキルエステルが、アジピン酸ジメチル、グルタル酸ジメチル、コハク酸ジメチルおよびそれらの混合物からなる群から選択される、請求項１３２に記載のシステム。
【請求項１３４】
前記有機溶媒構成要素が、グリコールエーテルまたはグリコールエーテルの混合物を含む、請求項１２３に記載のシステム。
【請求項１３５】
前記溶液が、塗料吹付けブースにおける使用のため、水システムへの添加のための液体濃縮物を含む、請求項６５に記載のシステム。
【請求項１３６】
塗料吹付けブース中の塗料過剰吹付けを処理するための洗浄水システムであって：
該システムの総重量を基に、０．００５〜１．０重量％の範囲の量の凝析剤；
撹拌有機溶媒構成要素；および
水、を備える、システム。
【請求項１３７】
前記凝析剤が：
ａ）ジアルキルアミノアルキル（メタ）アクリレートポリマー；
ｂ）ヘキソサンポリマー；
ｃ）モンモリロナイト含有粘土；
ｄ）ポリ［オキシアルキレン（ジアルキルイミノ）アルキレン］ポリマー溶液；
ｅ）エピハロヒドリン／ジアルキルアミンポリマー；
ｆ）ポリジアリルジアルキルアンモニウムハライドポリマー；
ｇ）ポリエピアミン；
ｈ）電解質／ジアルキルアミンエピハロヒドリン；および
ｉ）ハライド／ジアルキルアミン−エピハロヒドリン−アルキレンジアミンポリマー；およびこれら混合物からなる群から選択される、構成要素を含む、請求項１３６に記載のシステム。
【請求項１３８】
前記凝析剤が：
１）前記ａ）からｉ）の少なくとも１つ；および
２）キトサン、の混合物である、請求項１３７に記載のシステム。
【請求項１３９】
前記有機溶媒構成要素が、１５重量％より少ない水中溶解度を有するとして特徴付けられ、そしてそこで、水が該有機溶媒構成要素中に１５重量％より少ない程度まで可溶であり、該重量％が有機溶媒構成要素と水との重量に基づく、請求項１３７に記載のシステム。
【請求項１４０】
前記塗料が、水性ペイントである、請求項１３７に記載のシステム。
【発明の詳細な説明】
【技術分野】
【０００１】
（関連出願の参照）
本出願は、「Ｃｏｍｐｏｓｉｔｉｏｎｓ  Ｉｎｃｏｒｐｏｒａｔｉｎｇ  Ｃｈｉｔｏｓａｎ  ｆｏｒ  Ｐａｉｎｔ  Ｄｅｔａｃｋｉｆｉｃａｔｉｏｎ」と題する、２００１年７月２６日出願の、同時係属中の米国特許出願第０９／９１６，１０４号の部分継続である。
【０００２】
（発明の分野）
本発明は、塗料過剰スプレー除去プロセスのための組成物および方法に関する。
【背景技術】
【０００３】
（発明の背景）
自動吹付け技術は、自動車、トラック、冷蔵庫などのような大きい物品を塗装するために長らく用いられている。吹付けられる品目は、一般に、水洗塗料ブースを通るコンベヤラインに沿って進められ、その水洗塗料吹付けブースでは、塗料の微細スプレーが、このコンベヤの側に位置するスプレー銃から塗装されている物品に方向付けられる。過剰吹付け塗料、すなわち、塗装されている物品と接触しない塗料は、その塗装される物品を取り囲む空気空間の微細なミストを形成する。この塗料ミストは、その空気から取り除かれねばならない。これを達成するために、この汚染された空気は、空気排気ファンにより、その塗料吹付けブースを通って引かれる。循環する水のカーテンが、その空気がその水のカーテンの中を通過してその排気ファンに届くような様式で、空気の通路を横切って維持される。その空気がその水のカーテンの中を通過するときに、上記塗料ミストは、この空気から「こすり洗いされ」、一般にその塗料吹付けブースの下部に置かれる排水貯水池に運ばれる。この領域で、この塗料粒子は、その水が再循環され得るように、その水と分離され、塗料粒子は、片付けられる。
【０００４】
塗料は粘着性材料であり、それは吹付けブース表面、特に油だめおよび排出領域で凝固し、それらに付着する傾向があり、その油だめ排出および再循環システムの閉塞を防止するために、その油だめから常時取り除かれねばならない。上記空気からの過剰吹付けされた塗料の除去を補助するために、そして塗料吹付けブースの効率的な操作を提供するために、粘着防止剤（ｄｅｔａｃｋｉｆｙｉｎｇ  ａｇｅｎｔ）が、そのようなシステムで使用される水中で一般に用いられ、代表的に、この塗料スプレーシステムで再循環される洗浄水に組込まれる。塗料を粘着防止することは、塗料の付着特性、すなわち粘着性を取り除くかまたは最小化し、それによって過剰に吹付けられた塗料がこの吹付けブースの壁に付着するのを防止する。
【０００５】
上記のような、水洗吹付けブースにおける塗料過剰吹付けを回収することに関する困難の１つは、その水に取り込まれ得る塗料の量が限られていることである。従って、粘着防止剤は、吹付けブース全体を再循環する洗浄水が、排出前に、大容量の過剰吹付けされた塗料を粘着防止し、凝析し、そして綿状固体にし得るように、高負荷容量をもつべきである。
【０００６】
近年、溶媒排出を低減することが必要とされ、溶媒ベースの塗料または溶媒系塗料が減少し、および水ベースの塗料または水性（ｗａｔｅｒｂｏｒｎｅ）塗料が増加した。水性コーティング組成物の親水特性は、このような組成物を、容易に水に分散可能にし水溶性にするので、有機樹脂、顔料、および有機溶媒のような成分から構成される塗料固形物を、水性塗料過剰吹付けから取り除くには、溶媒ベースの塗料に比較すると、代表的には、塗料吹付けブースにおいて異なる粘着防止剤の使用が必要となる。
【０００７】
例えば、塗料を粘着防止し、塗料吹付けブースの効率を改善するために、カチオン性ポリマー（例えば、アクリルアミドポリマー）を使用することが公知である。材料（例えば、アルミン酸ナトリウム）が、代表的には、その洗浄水システムのｐＨを調整するために使用される。取り囲む空気から上記塗料過剰吹付けをこすり洗いするために、有機溶媒（例えば、Ｎ−メチルピロリドン）を使用することもまた公知である。しかし、このプロセスに必要とされる大容量の有機溶媒の使用は、高価であり、潜在的な健康危険および環境危険を呈し得る。加えて、このような粘着防止剤は、水ベースの塗料および溶媒ベースの塗料の両方を粘着防止するためには有効ではない。
【０００８】
水中の有機溶媒の攪拌された懸濁液との接触を通して溶媒ベースの塗料過剰吹付けを取り除きそして回収し、次いでこの分散液を相分離させる、つまり、水相から有機相を分離することもまた、公知である。しかし、このような分散液は、その水からその塗料を除去するために分離することが、しばしば困難である。
【０００９】
水性エナメル塗料および溶媒エナメル塗料の両方を粘着防止する際に、メラミン−ホルムアルデヒドポリマー、ポリビニルアルコールおよびスチレンアクリレートコポリマーを含む組成物が使用され得ることもまた、公知である。しかし、このような材料は、容易に生物分解されず、そしてそれ故に、廃棄に対する環境上の懸念を呈し得る。
【発明の開示】
【発明が解決しようとする課題】
【００１０】
従って、さらなる改善は、これらの技術に対する歓迎すべき追加であり、そこでは、水性塗料および溶媒ベースの塗料の両方からの塗料過剰吹付けの除去のために有用な組成物および方法が用いられ、効果的に、塗料吹付けブースにおける有機樹脂、顔料および有機溶媒のうちの１つ以上の量を減少させる。
【課題を解決するための手段】
【００１１】
（発明の要旨）
本発明は、塗料固形物部分、および必要に応じて有機溶媒部分を含む過剰吹付けされた塗料を処理するための方法および組成物を提供し、この塗料固形物部分は、有機樹脂および必要に応じて顔料を含む。この方法は、凝析剤を含む攪拌された溶液中で塗料過剰吹付けを回収するように、この塗料過剰吹付けを、その攪拌された溶液を含む洗浄水システムと接触させる工程を包含する。この塗料過剰吹付けを含む溶液は、この溶液が塗料過剰吹付けを含む有機相と水相とに自然に分離するように、攪拌の比較的ない領域を通過させられる。有機樹脂、および必要に応じて顔料を含む塗料固形物部分および、必要に応じて有機溶媒部分を含むこの塗料過剰吹付けを含む有機相は、上記水相から分離される。
【００１２】
本発明の別の実施形態では、過剰吹付けされた塗料を処理するための方法は、上記直前に記載された方法に類似しており、そして上記有機相を処理して、上記有機溶媒部分から少なくとも上記塗料固形物の一部を分離する工程、この有機溶媒部分を、引き続く上記塗料過剰吹付けとの接触のために、攪拌溶液で分散させる工程、およびこの塗料固形物を回収する工程をさらに包含する。
【００１３】
本発明はまた、塗料吹付けブースにおける塗料過剰吹付けを処理するための洗浄水システムを提供し、この塗料過剰吹付けは、塗料固形物部分、および必要に応じて有機溶媒部分を含み、この塗料固形物部分は、有機樹脂および、必要に応じて、顔料を含み、この洗浄水システムは、この系から上記塗料固形物、および必要に応じて有機溶媒を沈殿させるのに有効な量で凝析剤を含む。
【００１４】
別の実施形態では、本発明は、塗料吹付けブースの塗料過剰吹付けを処理するための洗浄水システムを提供し、このシステムは、このシステム、攪拌された有機溶媒成分および水の全重量に基づき、０．００５〜１．０重量％の範囲の量の凝析剤を含む。
【発明を実施するための最良の形態】
【００１５】
（発明の詳細な説明）
操作実施例において以外で、またはそうではないと示されない限り、本明細書および特許請求の範囲で使用される成分の量、反応条件などを表すすべての数字は、すべての例において、用語「約」により改変されていると理解されるべきである。従って、逆に示されない限り、以下の明細書および添付の特許請求の範囲に示される数値パラメーターは、本発明により得ようとされる所望の特性に依存して、変化し得る近似値である。少なくとも、特許請求の範囲の均等の原則の適用を限定しようとするものとしてではなく、各数値パラメーターは、少なくとも、報告される意義ある数字の数を参酌して、そして通常の四捨五入技術を適用することにより解釈されるべきである。
【００１６】
広い範囲の本発明を示す数値範囲およびパラメーターは、近似値であるけれども、特定の実施例において示される数値は、できるだけ正確に報告される。しかし、任意の数値は、元々、それらのそれぞれの試験測定で見出される標準偏差から、必然的に生じる特定の誤差を含む。
【００１７】
また、本明細書中に列挙される任意の数値範囲は、その中に包含される部分範囲を含むことが意図される。例えば、「１〜１０」の範囲は、その示された最小値１と示された最大値１０の間（およびそれらの数字を含む）の、すなわち１以上の最小値および１０以下の最大値を有するすべての部分範囲を含むことが意図される。
【００１８】
全体または一部が本明細書中に参考として援用されると言われる任意の特許、刊行物、または他の開示資料は、援用された資料が、本開示に示される目下の定義、陳述、または他の開示資料と矛盾しない程度までのみ、本明細書中に援用される。従って、そして必要な範囲まで、本明細書中で示されるような開示は、本明細書中に参考として援用される任意の矛盾する資料に取って代わる。本明細書中に参考として援用されると言われるが、本明細書中に示される目下の定義、陳述、または他の開示資料と矛盾する任意の資料、またはその一部分は、援用された資料と目下の開示資料との間に矛盾が生じない範囲でのみ援用される。
【００１９】
本明細書中で使用される場合の用語「塗料」は、適当に流体であって、基材に塗布された場合に薄い付着性コーティングを提供する、樹脂、および必要に応じて顔料、および適切な液体ビヒクルの混合物を包含することが意図される。従って、用語「塗料」は、塗料、ラッカー、ワニス、ベースコート、クリアーコート、プライマーなどを包含することが意図される。用語「過剰吹付け塗料」は、水性塗料および溶媒ベースの塗料の両方を含むことが意図される。
【００２０】
用語「凝析剤」は、本明細書中で使用される場合、溶液から固体または半固体を、例えばラテックスからポリマー粒子を、または水から不純物を沈殿させる際に使用される物質をいう。
【００２１】
用語「洗浄水」とは、本明細書中で使用される場合、塗料吹付けブース中の循環水のカーテンをいい、この維持されている循環水は、排気ファンによりこの水のカーテンを通って引かれ、それにより、塗料ミストの少なくとも一部は、その空気から「こすり洗い」され、さらなる処理のために運び去られる。
【００２２】
用語「ポリマー」は、本明細書中で使用される場合、オリゴマーならびにホモポリマーおよびコポリマーの両方に言及することを意味する。
【００２３】
注記されるように、本発明の組成物は、塗料吹付けブース中の塗料過剰吹付けを取り除くために用いられる凝析剤の水溶液を含む。この塗料過剰吹付けは、塗料固体部分および必要に応じて有機溶媒部分を含み得、この塗料固形物部分は、有機樹脂および、必要に応じて顔料を含む。水中の凝析剤の攪拌された溶液は、その攪拌された溶液中の塗料過剰吹付けを解乳化する作用をする。
【００２４】
本発明の凝析剤は、溶液から塗料固形物および、必要に応じて有機溶媒を沈殿させるのに有効な任意の物質および／または物質の混合物であり得る。本発明において用いられ得る適切な凝析剤の非限定的な例としては、以下：
１）ジアルキルアミノアルキル（メタ）クリレートポリマー；
２）ヘキソサンポリマー；
３）モンモリロナイト含有粘土；
４）キトサン；
５）ポリ［オキシアルキレン（ジアルキルイミノ）アルキレン］ポリマー溶液；
６）エピハロヒドリン／ジアルキルアミンポリマー；
７）ハロゲン化ポリジアリルジアルキルアンモニウムポリマー；
８）ポリエピアミン；
９）電解質／ジアルキルアミン  エピハロヒドリン；および
１０）ハライド／ジアルキルアミン−エピハロヒドリン−アルキレンジアミンポリマー；
およびこれらの混合物
が挙げられる。上述の凝析剤のいずれも、さらに金属錯塩（下記を参照のこと）を含み得ることが留意される。また、上記モンモリロナイト含有粘土は、以下に示すように、ポリマー（例えば、アクリルポリマー）と組み合わせて使用され得る。
【００２５】
この凝析剤組成物は、イオン性（すなわち、アニオン性またはカチオン性）であってもよく、非イオン性であってもよい。本発明のいくつかの実施形態では、本明細書中以下に議論されるように、その凝析剤組成物は、カチオン性凝析剤水溶液を含む。
【００２６】
本発明の凝析剤は、ジアルキルアミノアルキル（メタ）クリレートポリマーの水溶液を含み得、このジアルキルアミノアルキル（メタ）クリレートポリマーの水溶液は、他の成分（例えば、金属錯塩）と組合わせて、以下に議論されるように、塗料過剰吹付け凝析剤溶液に対して良好な分散特性を提供することが見出されている。本発明における使用のためのジアルキルアミノアルキル（メタ）クリレートポリマーの適切な例は、ジメチルアミノエチルメタクリレート（ＣＨ２＝Ｃ（ＣＨ３）ＣＯＯＣＨ２−Ｎ（ＣＨ３）２）などである。この実施形態では、ジアルキルアミノアルキル（メタ）クリレートポリマーは、上記洗浄水システム中に、この洗浄水システムの全重量に基づき、０．００５〜１．０重量％（５０〜１０，０００ｐｐｍ）の量で存在し得、そしてより詳細には０．０５〜０．２重量％（５００〜２０００ｐｐｍ）の量で存在し得る。本発明の目的のために、用語「（メタ）クリル」およびそれから派生する用語は、アクリル酸およびメタクリル酸ならびにこれらの誘導体を含むことが意図される。
【００２７】
本発明のジアルキルアミノアルキル（メタ）クリレートポリマー凝析剤溶液は、金属錯塩をさらに含み得、その金属錯塩は、上記過剰吹付け塗料を綿状にし得る。この金属錯塩は、塗料を凝固させ綿状にし得る任意の金属錯塩であり得る。有用な金属錯塩の非限定的な例としては、塩化アルミニウム水和物（ａｌｕｍｉｎｉｕｍ  ｃｈｌｏｒｏｈｙｄｒａｔｅ）、硫酸アルミニウム（明礬）、塩化亜鉛、塩化第二鉄、塩化カルシウム、水酸化マグネシウム、およびこれらの混合物からなる群より選択される金属錯塩が挙げられる。
【００２８】
本発明のジアルキルアミノアルキル（メタ）クリレート凝析剤溶液は、その中に溶解した金属錯塩を含み得る。その金属錯塩は、この凝析剤溶液の全重量に基づき、ジアルキルアミノアルキル（メタ）クリレートポリマーの水溶液の量よりも多い量でその凝析剤溶液に溶解され得る。この金属錯塩は、この凝析剤溶液の全重量に基づき、２〜４０重量％の量で、そしてより詳細には１０〜１５重量％の量で、この凝析剤溶液に提供され得る。
【００２９】
本発明の別の実施形態では、この凝析剤は、アミロペクチンのようなヘキソサンポリマー（すなわち、グルコースのポリマー）、および、必要に応じて、上に示されたような金属錯塩の水溶液を含み得る。アミロペクチンは、ポテトデンプンの形態で、デンプン粒子の外側の最も不溶性の部分であり、水中でペーストを形成する、多くのグルコース単位を含む分枝ポリマーである。
【００３０】
ヘキソサンの水溶液は、アミロペクチン、必要に応じて金属錯塩、および水の混合物として提供され得る。このヘキソサンポリマーは、上記洗浄水システム中に、この洗浄水システムの全重量に基づき、０．００５〜１．０重量％（５０〜１０，０００ｐｐｍ）の量で存在し得、そしてより詳細には０．０５〜０．２重量％（５００〜２０００ｐｐｍ）の量で存在し得る。
【００３１】
本発明のヘキソサン組成物は、その中に溶解される金属錯塩を含み得る。この金属錯塩は、この凝析剤溶液の全重量に基づき、ヘキソサンポリマーの水溶液の量よりも多い量でその凝析剤溶液に溶解され得る。この金属錯塩は、この凝析剤溶液の全重量に基づき、２〜４０重量％の量で、そしてより詳細には１０〜１５重量％の量で、この凝析剤溶液に提供され得る。この金属錯塩は、上に記載された任意の金属錯塩およびそれらの混合物であり得る。
【００３２】
本発明の別の実施形態では、上記凝析剤は、モンモリロナイト含有粘土および、必要に応じて、水分散性のポリマー（例えば、アクリルポリマー）を含み得る。存在する場合には、そのポリマーは、この凝析剤溶液の全重量に基づき、０．０１〜１．０重量％の量で提供され得る。
【００３３】
適切なモンモリロナイト粘土としては、ベントナイト、モンモリロナイトナトリウム、モンモリロナイトカルシウムおよび／またはモンモリロナイトマグネシウム；ノントロナイト；ビーデライト（ｂｉｅｄｅｌｌｉｔｅ）；ボルコンスコナイト（ｖｏｌｋｏｎｓｋｏｎｉｔｅ）；ヘクトライト；サポナイト；ソーコナイト；ソボカイト（ｓｏｂｏｃｋｉｔｅ）；スティーブンサイト（ｓｔｅｖｅｎｓｉｔｅ）；スヴィンフォルダイト（ｓｖｉｎｆｏｒｄｉｔｅ）；バーミキュライトなどが挙げられる。本発明の１つの実施形態では、上記凝析剤溶液は、ベントナイト粘土を含む。このような粘土が用いられる場合、その粘土は、この凝析剤溶液の全重量に基づき、１〜２５重量％の量で、そしてより詳細には５〜１５重量％の量で、そしてより具体的には５〜１０重量％の量で、この凝析剤溶液中に存在し得る。
【００３４】
別の実施形態では、本発明は、同時係属中の米国特許出願第０９／９１６，１０４号（これはその全体が本明細書中に参考として援用される）に示されるような、以下の構造：
を有する化合物および水、ならびに必要に応じて、過剰吹付けされた塗料を綿状にし得る金属錯塩の水溶液を含み得る。上記の構造Ｉにより特定される化合物の水溶液は、キトサンの水溶液であり得、そして代表的には、水、キトサン、およびこのキトサンを水溶性にし得る酸の混合物を含む。
【００３５】
このキトサンは、本発明の凝析剤の調製における後の使用のためのストック溶液として、水溶液中に提供される。この水中のキトサンのストック溶液は、キトサンを水中に、このストック溶液の重量に基づき、０．５〜５重量％のキトサンの量で、具体的には、０．５〜３重量％の量で含み得、１重量％の量が代表的には用いられる。
【００３６】
キトサンは、容易には、水に溶解性ではない。従って、種々の薬剤が、このキトサンをより容易に可溶にするために添加され得る。例えば、酸が、キトサンの添加の前にその水に添加され、このキトサンを可溶化するための酸性水溶液が提供され得る。有用な酸の例としては、酢酸、硫酸、塩酸、クエン酸、スルファミン酸およびこれらの混合物が挙げられる。この酸は、上記ストック溶液中に、そのストック溶液の重量に基づき、約０．５〜約５重量％の量で提供され、そしてより具体的には、約０．５〜約３重量％の量で提供され得る。
【００３７】
本発明のキトサン組成物は、その中に溶解される金属錯塩を含む。この金属錯塩は、上記凝析剤溶液中に、この凝析剤溶液の全重量に基づき、キトサンの水溶液の量よりも多い量でその凝析剤溶液に溶解され得る。この金属錯塩は、上記の任意の金属錯塩およびそれらの混合物であり得る。この金属錯塩は、この凝析剤溶液の全重量に基づき、２〜４０重量％の量で、そしてより詳細には１０〜１５重量％の量で、この凝析剤溶液に提供され得る。このキトサンは、この組成物の全重量に基づき、０．１〜１０重量％の量で、この凝析剤溶液に提供され得る。上記酸は、この凝析剤溶液の全重量に基づき、０．１〜１０重量％の量で、この凝析剤溶液に提供され得る。１つの実施形態では、この酸とこのキトサンとは、この凝析剤溶液の全重量に基づき、等しい量で提供される。
【００３８】
キトサンの水溶液は、代表的には、２００から３０００センチポイズ（ｃｐｓ）、そしてより代表的には１０００〜１７５０ｃｐｓの粘度を有する。
【００３９】
別の実施形態では、本発明の凝析剤は、例えば、ポリ［オキシアルキレン（ジアルキルイミノ）アルキレン］ポリマー溶液のような水性のカチオン性ポリマーを含み得る。ポリ［オキシアルキレン（ジアルキルイミノ）アルキレン］ポリマーの適切な例としては、ポリ［オキシエチレン（ジメチルイミノ）エチレン］ポリマーなどが挙げられる。この実施形態では、ポリ［オキシアルキレン（ジアルキルアミノ）アルキレン］ポリマーは、洗浄水システム中に、この洗浄水システムの全重量に基づき、０．００５〜１．０重量％（５０〜１０，０００ｐｐｍ）の量で、そしてより具体的には０．０５〜０．２重量％（５００〜２０００ｐｐｍ）の量で存在し得る。
【００４０】
本発明の別の実施形態では、上記凝析剤は、エピハロヒドリン／ジアルキルアミンポリマーの水溶液を含み得る。エピハロヒドリン／ジアルキルアミンポリマーとしては、エピクロルヒドリン／ジメチルアミンポリマー（ＥＰＩ／ＤＭＡ）などが挙げられ得る。この実施形態では、エピハロヒドリン／ジアルキルアミンポリマーは、この洗浄水システム中に、この洗浄水システムの全重量に基づき、０．００５〜１．０重量％（５０〜１０，０００ｐｐｍ）の量で、そしてより具体的には０．０５〜０．２重量％（５００〜２０００ｐｐｍ）の量で存在し得る。
【００４１】
本発明の別の実施形態において、凝析剤は、ポリジアルキルジアルキルアンモニウムハロゲン化物ポリマーの水溶液を含み得る。ポリジアルキルジアルキルアンモニウムハロゲン化物ポリマーの適切な例としては、ポリジアルキルジメチルアンモニウムクロライドポリマーなどが挙げられ得る。この実施形態において、ポリジアルキルジメチルアンモニウムハロゲン化物ポリマーは、洗浄水システムの総重量に基づいて、０．００５〜１．０重量％（５０〜１０，０００ｐｐｍ）の量で、より特異的には、０．０５〜０．２重量％（５００〜２０００ｐｐｍ）の量で洗浄水システムに存在し得る。
【００４２】
本発明の別の実施形態は、ポリエピアミン、および必要に応じて上記の錯体金属塩の水溶液を含む凝析剤に関する。ポリエピアミンの水溶液は代表的に、ポリエピアミン、必要に応じて錯体金属塩および水の混合物として提供される。このポリエピアミンは、洗浄水システムの総重量に基づいて、０．００５〜１．０重量％（５０〜１０，０００ｐｐｍ）の量で、そしてより特異的には、０．０５〜０．２重量％（５００〜２０００ｐｐｍ）の量で洗浄水システムに存在し得る。
【００４３】
本発明のポリエピアミン組成物は、その中に溶解した錯体金属塩を含み得る。この錯体金属塩は、凝析剤溶液の総重量に基づいて、ポリエピアミンポリマーの水溶液の量よりも多い量で凝析剤溶液中に溶解され得る。この錯体金属塩は、凝析剤溶液の総重量に基づいて、２〜４０重量％、そしてより特異的には、１０〜１５重量％の量で凝析剤溶液中に提供され得る。この錯体金属塩は、上記の任意の錯体金属塩、およびそれらの混合物であり得る。
【００４４】
本発明の別の実施形態において、この凝析剤は、電解質／ジアルキルアミンエピハロヒドリンの水溶液を含み得る。電解質の適切な例としては、分散塗料のイオン不安定化を提供する電解質が挙げられ、そして例えば、塩化ナトリウム、塩化カリウムおよび塩化マグネシウムが挙げられる。本発明の電解質／ジアルキルアミンエピハロヒドリン凝析剤の適切な例としては、塩化ナトリウム／ジメチルアミンエピクロロヒドリンなどが挙げられる。この実施形態において、電解質／ジアルキルアミンエピハロヒドリンは、洗浄水システムの総重量に基づいて、０．００５〜１．０重量％（５０〜１０，０００ｐｐｍ）の量で、そしてより特異的には、０．０５〜０．２重量％（５００〜２０００ｐｐｍ）の量で洗浄水システム中に存在し得る。
【００４５】
本発明の別の実施形態において、凝析剤は、ハライド／ジアルキルアミン−エピハロヒドリン−アルキレンジアミンポリマーの水溶液を含む。ハライド／ジアルキルアミン−エピハロヒドリン−アルキレンジアミンポリマーの適切な例としては、クロリド／ジメチルアミン−エピクロロヒドリン−エチレンジアミンポリマーが挙げられる。この実施形態において、ハライド／ジアルキルアミン−エピハロヒドリンアルキレンジミンポリマーの水溶液は、洗浄水システムの総重量に基づいて、０．００５〜１．０重量％（５０〜１０，０００ｐｐｍ）の量で、そしてより特異的には、０．０５〜０．２重量％（５００〜２０００ｐｐｍ）の量で洗浄水システム中に存在し得る。
【００４６】
本発明の凝析剤水溶液の実施形態は、上に示されるように、単独で使用され得るか、または本発明の塗料過剰吹き付け除去プロセスの洗浄水と組み合せて使用され得る。例えば、上に示される凝析剤の２つ以上は、凝析剤混合物として使用され得、そのプロセスに特定の費用の有益性を提供するか、またはいずれの凝析剤によっても提供され得ないプロセスに対して特定の有利な特性を提供し得る。
【００４７】
さらに、他の化合物は、共凝集剤として作用する本発明の組成物中に含まれ得る。有用な化合物としては、アミン基含有ポリマー（例えば、アクリルアミドポリマー、特にカチオン性アクリルアミドポリマー）が挙げられる。有用なカチオン性アクリルアミドポリマーの例としては、ジメチルアミノエチルメタクリレート硫酸塩、ジメチルアミノエチルメタクリレート塩化メチル第４級アンモニウム塩、ジメチルアミノエチルメタクリレート硫酸メチル第４級アンモニウム塩、ジメチルアミノエチルアクリレート塩化メチル第４級アンモニウム塩、アクリルアミドプロピルトリメチル塩化アンモニウム、およびそれらの混合物が挙げられるが、これらに限定されない。
【００４８】
本発明の凝析剤溶液は、代表的には、凝析剤および水を、必要に応じて酸の存在下で合わせ、その凝析剤の水溶液を形成するのに十分な温度および時間で混合することにより調製される。
【００４９】
凝析剤の水溶液の形成後、一部のこの水溶液を、さらに水と合わせる。次いで、この錯体金属塩（存在する場合）を、穏やかに攪拌しながら上記溶液に添加し、本発明の凝析剤溶液を形成する。所望の場合、モンモリロナイト含有粘土（例えば、ベントナイト含有粘土）を、凝析剤溶液に添加し得る。
【００５０】
本発明の水性組成物は、塗料拭き付けブース内で使用するための水系に添加することを意図する液体濃度の形成において調製され得る。このようにして、この組成物は、最初の脱粘着添加剤（ｄｅｔａｃｋｉｆｙｉｎｇ  ａｄｄｉｔｉｖｅ）として塗料拭き付けブースを通って再循環する洗浄水の容量に添加され得、および本明細書中でより詳細に議論されるとおりに、塗料拭き付けブースの操作の間に保持脱粘着添加剤として添加され得る。このような水系において使用される場合、この凝析剤溶液は、代表的には、このシステムを通って再循環される水の容量の０．０１〜１０％の量（その洗浄水システムの総重量に基づいて、例えば、０．００５〜１．０重量％（５０〜１０，０００ｐｐｍ）、およびより特異的には、０．０５〜０．２重量％（５００〜２０００ｐｐｍ）の量）で提供される。
【００５１】
中に凝析剤溶液を含む水系は、６〜１０の間、そしてより特異的には６．５〜８．０の間のｐＨに維持される。いくつかの実施形態において、本発明の凝析剤溶液は、わずかに酸性であり得るので、再循環する水システムにおける上記組成物の使用は、そのシステムのｐＨに影響を及ぼす。従ってその水システムのｐＨが調整され得ることは当該分野で公知である。例えば、液体苛性ソーダ（すなわち、５０％  ＮａＯＨ）のわずかな増分が、そのｐＨを所望の範囲内に維持するためにその水システムに添加され得る。そのような液体苛性ソーダは、例えば、１０ｍｌの洗浄水あたり、０．０５〜１．５ｍｌの液体苛性ソーダの比でその水システムに添加され得る。
【００５２】
前述のように、本発明の方法に従って、塗料拭き付けブース内の過剰塗料の粒子は、上記のとおりに、その水溶液中に少なくとも１つの凝析剤を含む循環水システムで処理される。上で議論されるように本発明の凝析剤溶液は、当業者に公知の任意の様式で塗料拭き付けブースの洗浄水システムに添加され得る。例えば、本発明の凝析剤は、拭き付けブースの洗浄水に直接添加され得る。この循環洗浄水システムは、塗料の過剰拭き付けを含む空気流れをかき乱す連続した水流れのカーテンを形成し、その結果、水カーテン中の塗料過剰拭き付けを回収する。塗料過剰拭き付けを含む空気流れをかき乱すための連続した水のカーテンを備える塗料拭き付けブースは、当該分野（例えば、米国特許第４，９８０，０３０号（代表的に、塗料拭き付けブースを開示する））で公知である。
【００５３】
操作において、塗布される対象は、塗料拭き付けブース内に置かれ、そして公知の拭き付け技術を使用して塗布される。この過剰拭き付け塗料は、公知の様式において、塗料拭き付けブースを通って輸送される水の連続したカーテンに接触される。このような、過剰拭き付け塗料の、本発明の凝析剤溶液を含む洗浄水システムとの接触は、この塗料を洗浄水から凝集および分離させ、それにより、塗料拭き付けブースを通って循環する洗浄水システム上／洗浄水システム中にスラッジ層を形成する。さらに、本発明の凝析剤溶液はまた、凝集した塗料を脱粘着（ｄｅｔａｃｋｉｆｙ）し得る。水溶液中の凝集した塗料のスラッジの量は、公知の方法を介して、モニタリングされ、そして周期的に取り除かれる。さらに、上で議論されるように、洗浄水システムのｐＨは、周期的にモニタリングされ、必要である場合、再調節される。
【００５４】
凝析剤および／または粘着防止剤の有効性はまた、塗料拭き付けブースの操作の間、周期的にモニタリングされる。これは、塗料拭き付けブースより取り除かれる塗料のスラッジの粘着性をモニタリングすることにより達成され得る。あるいは、凝析剤および／または粘着防止剤のレベルはモニタリングされ、この洗浄水内でこれらの物質の所望の、所定の閾値レベルを維持し得る。洗浄水が、過剰拭き付け塗料を有効に脱粘着できない場合、ならびに／または、凝析剤および／もしくは粘着防止剤のレベルが、所望の、所定の閾値レベル未満に落ちる場合、本発明の粘着防止剤溶液および／または凝析剤溶液の保全用量が、再循環水に添加され得、それにより、塗料拭き付けブースの有効性を維持する。
【００５５】
本発明の凝析剤溶液は、水輸送および溶媒ベースの両方の塗料の変性システムに関して使用される場合、類似の様式で使用される。このようなシステムの例は、米国特許５，２３３，１４１号に詳細に記載され、その開示は、その全体が、本明細書中で参考として援用される。このような塗料変性システムは、洗浄水において、水中の有機溶媒成分の分散物を包含し得る。本発明の凝析剤溶液は、このような分散を含む洗浄水に添加され得る。
【００５６】
より詳細には、この有機溶媒成分は、単一の有機溶媒または有機溶媒の混合物を含み得る。有用な有機溶媒の例としては、ポリカルボン酸のアルキルエステル、またはそのようなエステルの混合物（例えば、アジピン酸ジメチル、グルタル酸ジメチル、コハク酸ジメチルおよびそれらの混合物；アジピン酸ジイソブチル、グルタル酸ジイソブチル、コハク酸ジイソブチル、およびそれらの混合物）が挙げられる。
【００５７】
本発明の方法に使用され得る有機溶媒成分は、１５％未満の水溶性、特に、１〜５重量％の水溶性を有し得、水は、その中に１５％未満、詳細には１〜５重量％未満の程度まで可溶性であり得る；重量％は、水および有機溶媒の総重量に基づいている。
【００５８】
上記の可溶性特性に加えて、有機溶媒成分は、水よりも十分に高いか、または低い特有の比重を有し、この有機相の水相からの分離を容易にする。代表的には、有機溶媒成分の比重は、０．９８未満か、または１．０２より大きいかのどちらか、特に０．９０〜０．９５、または１．０５〜１．１０のどちらかである。
【００５９】
可溶性特性および重量特性に加えて、この有機溶媒成分は、水銀の０．１ミリメーター
未満の蒸気圧を有し得る。低い蒸気圧は望ましい。なぜなら、揮発性の有機要素が、蒸発に起因して大気に放出されにくくなるからである。
【００６０】
前述のように、この有機溶媒成分（存在する場合）は、単一の有機溶媒または有機溶媒の混合物を含み得る。本発明の方法に利用可能な有機溶媒の例としては、ポリカルボン酸のアルキルエステル、またはこのようなエステルの混合物が挙げられる。代表的には、これらのエステルは、以下の構造式からなる：
【００６１】
【化３】
2006525871.tif 000002
ここで、Ｘは、２〜１２個の炭素原子を有する直鎖脂肪族基または分枝鎖脂肪族基であるか、あるいは６〜２０個の炭素原子を有する芳香族であり、Ｒは、代表的には、約１〜８個の炭素原子を含む直鎖アルキル基または分枝鎖アルキル基であり、そしてｎ＝２〜４である。置換された脂肪族基、芳香族基、およびアルキル基は、その置換基が、塗料過剰拭き付け構成要素の除去および回収に有害な影響を及ぼさない場合において使用され得る。このアルキルエステルはまた、二塩基のカルボン酸のジアルキルエステルまたはこのようなエステルの混合物を含み得る。これらのエステルは、以下の構造式を有する：
【００６２】
【化４】
2006525871.tif 000003
ここで、Ｘは２〜１２個、より詳細には２〜８個の炭素原子を含有する直鎖アルキル基または分枝鎖アルキル基であり、そしてＲおよびＲ’は、同じであるかまたは異なり得、そして１〜６個、より詳細には１〜４個の炭素原子を含有する直鎖アルキルまたは分枝鎖アルキルである。多塩基の酸の特定のアルキルエステルの例としては、アジピン酸ジメチル、グルタル酸ジメチル、コハク酸ジメチル、およびそれらの混合物；アジピン酸ジイソブチル、グルタル酸ジイソブチル、コハク酸ジイソブチル、およびそれらの混合物が挙げられる。このようなエステルの混合物は、Ｅ．Ｉ．  Ｄｕ  Ｐｏｎｔ  ｄｅ  Ｎｅｍｏｕｒｓ  ａｎｄ  Ｃｏｍｐａｎｙより、二塩基の酸のエステル（ＤＢＥ−３）または二塩基の酸のジイソブチルエステル（ＤＢＥ−ＩＢ）として、利用可能である。
【００６３】
他の有機溶媒の例としては、グリコールのモノエーテルおよびジエーテル（例えば、モノアルキルまたはジアルキル、あるいはモノアリールまたはジアリールまたは混合アルキル）、およびグリコールのアリールエーテル（例えば、エチレングリコール、ジエチレングリコール、ジプロピレングリコール、およびプロパノール）、ならびにグリコールエーテルの混合物を含むポリオールエーテルが挙げられる。特定のポリオールエーテルの例としては、エチレングリコールモノブチルエーテル、エチレングリコールモノフェニルエーテル、ジエチレングリコールモノブチルエーテル、プロピレングリコールモノメチルエーテル、プロピレングリコールモノフェニルエーテル、ジプロピレングリコールモノメチルエーテル、エチレングリコールジメチルエーテル、およびジエチレングリコールジメチルエーテルが挙げられる。有機溶媒の他の例としては、フルフラルおよびイソホロンが挙げられる。
【００６４】
水性分散液中の有機溶媒成分の濃度は、有機溶媒成分および水の重量に基づいて、代表的には、２〜５０重量％であり、そして１５〜２５重量％であり得、より詳細には２〜１０重量％であり得る。
【００６５】
この有機溶媒成分は、この成分を代表的な洗浄水拭き付けブースの循環水に単に添加することにより、洗浄水システムに分散され得る。本発明の凝析剤はまた、類似の様式において洗浄水中に添加され得る。拭き付けブースに関連する供給作用および循環作用は、有機溶媒成分が、水性媒体中に安定して分散すること、ならびにこの凝析剤が、水性媒体中で適切に混合されたままであることを保証する。
【００６６】
塗料過剰拭き付けは、代表的に、色素、有機樹脂、および産業塗料に関連する有機溶媒を含む。代表的な塗料は、アクリルベースの塗料、ウレタンベースの塗料、ベースコート／クリアーコート塗料、および自動車、機器および一般の産業市場で使用されるハイソリッド塗料である。
【００６７】
上記のとおりに、過剰拭き付け塗料は、公知の様式において塗料拭き付けブースを通って供給される洗浄水の連続したカーテンに接触される。過剰拭き付け塗料と、水中の有機溶媒および本発明の凝析剤溶液を含み得る溶液とのこのような接触により、溶液中に過剰拭き付け塗料を回収する。
【００６８】
塗料過剰拭き付けを含む溶液は、塗料のスラッジ（これは、塗料固形物、およびひょっとしたら有機溶媒を含む）が、必要に応じて、洗浄水システムから除去され得る点において、スラッジタンクが、相対的に攪拌されない領域であるような公知の様式においてこのシステムを介して供給される。この連続した循環およびポンピング作用は、攪拌され、安定な溶液を維持する。
【００６９】
さらに塗料のスラッジの除去を容易にするために、溶液の自然状態の相を、有機相と水相とに分離する場合に、塗料のスラッジを含む溶液を、相対的に攪拌され得ない維持タンクに（ポンピングにより）輸送し得る。塗料過剰拭き付けの全てはない場合、そのほとんどを含む有機相は、水相より分離され得る。凝析剤溶液の水溶液の含有により、塗料過剰拭き付けの水相からの部分的な乳化を容易にし、溶媒層（存在する場合）の分散を減少する能力を改善し、そして相分離のための時間を短縮する。維持タンクにおいて、この領域からの水相の少なくとも一部が除去され得、その結果、凝析剤溶液が、拭き付けブースへの再循環のためにその領域に添加され得ることもまた、企図される。
【００７０】
この有機相は、有機溶媒部分と、有機樹脂、および必要に応じて色素を含む塗料固形物を含む部分とにさらに分離され得る。代表的な分離ユニットは、蒸留塔、薄膜エバポレーター、または遠心器である。この有機溶媒部分（この有機溶媒部分は、この溶液を製造するために最初に使用される有機溶媒成分、ならびに塗料に関連する有機溶媒成分の少なくとも一部を含む）は、蒸留または遠心分離のどちらかで回収され、そして、容易に分散され得る場合、再循環システムに戻され得る。分離された塗料固形物は、さらなる使用のために再生されるか、または堆積し得る。この塗料が、硬化していないことから、接着剤または塗料中の硬化可能な増量剤として使用され得る。
【００７１】
本発明の凝析剤は、洗浄水システム内で使用され、塗料拭き付けブースより塗料過剰拭き付けの除去を補助し得る。本発明の凝析剤は、拭き付けブースより水性（ｗａｔｅｒｂｏｒｎｅ）塗料過剰拭き付けの除去に特に有用であることが見出されている。
【００７２】
本発明の例示は、以下の実施例である。この実施例は、その詳細に対して本発明を限定すると見なされるべきでない。この実施例において、ならびに本明細書中を通して全ての部分およびパーセンテージは、他に示されない限り重量％である。
【実施例】
【００７３】
多くの材料を、有機溶媒成分系に存在するような水性塗料固形物の凝析を容易にすることにおいて、その有効性についてスクリーニングした。一般的な手順では、５００ｍＬの水道水に、２ｍＬの水性塗料混合物を充填し、研究室の攪拌プレート上で中速で混合した。混合中に、２．０ｍＬまでの種々の凝析剤を添加した。塗料固形物を凝集させる能力を、各凝析剤について評価した。凝集が、明らかに観察されるか、または最大量である２．０ｍＬに到達した場合に添加を停止した。次いで、得られた溶液を混合し、５ｍＬの試料を取り出し、次いで、９０ｍＬの水道水および１０ｍＬのＤＢＥ−ＩＢ溶媒の混合物に添加した。この混合物を、強く手でかき混ぜ、５〜１０分間の間静置させた。５〜１０分後、スラッジの可溶性、相分離の程度、スランジの体積および水の透過性に関して、観察を行った。
【００７４】
（実施例１）
上に概説した手順に従って、ジメチルアミノエチルアクリレートポリマーの２つの溶液を評価した。ジメチルアミノエチルアクリレートポリマーおよび塩酸アルミニウム塩からなる一方の溶液はＢＣＴＬ２０２０としてＰＰＧ  Ｉｎｄｕｓｔｒｉｅｓ，Ｉｎｃ．より市販される。ジメチルアミノエチルアクリレートポリマーおよび硫酸アルミニウム塩からなる他方の溶液は、ＢＣＴＬ８００９としてＰＰＧ  Ｉｎｄｕｓｔｒｉｅｓ，Ｉｎｃ．より市販される。両方の溶液は、わずかな凝集の形成、溶媒（ＤＢＥ−ＩＢ）層中のスラッジの可溶性、良好な程度の相分離、および中程度のスラッジ体積を示すことが観察された。
【００７５】
（実施例２）
ＢＣＴＬ２０００としてＰＰＧ  Ｉｎｄｕｓｔｒｉｅｓ，Ｉｎｃ．より市販されている硫酸アンモニウム塩と合わされたアミロペクチンの溶液を上記手順を使用して試験した。規定量の凝集形成、溶媒（ＤＢＥ−ＩＢ）層中のスラッジの可溶性、種々の溶媒相の良好な程度の相分離、および中程度のスラッジ体積を示すことが観察された。
【００７６】
（実施例３）
ＤＢＥ−ＩＢ溶媒中のアルキルエーテルヒドロキシプロピルスルテイン（ｓｕｌｔａｉｎｅ）（ＭＩＲＡＴＡＩＮＥ（登録商標）ＡＳＣ、Ｒｈｏｄｉａ、Ｉｎｃ．Ｃｒａｎｂｅｒｒｙ  ＮＪ）を含む凝析剤（ＢＣＴ３００１としてＰＰＧ  Ｉｎｄｕｓｔｒｉｅｓ，Ｉｎｃ．より市販）を、上記手順に従って試験した。わずかな凝集の形成、溶媒層中のスラッジの非可溶性、良好な相分離を示すことが観察された。スラッジは、生成されなかった。
【００７７】
（実施例４）
２つの複合体アミンカルボン酸凝析剤（ＢＡＳＦ  ＭＡＦＯ（登録商標）およびＢＡＳＦ  ＭＡＦＯ（登録商標）  １３  ＭＯＤ  １としてＢＡＳＦ  Ｃｏｒｐｏｒａｔｉｏｎ，Ｍｏｕｎｔ  Ｏｌｉｖｅ，ＮＪより市販されている）を上記手順に従って試験した。これらの物質は、凝集形成およびスラッジの可溶性について有効でないことを証明した。わずかな程度の相分離が観察された。
【００７８】
（実施例５）
コカミドプロピルヒドロキシスルテインおよびコカミドプロピルヒドロキシベタイン（それぞれＬｏｎｚａ  ＪＳおよびＬｏｎｚａ  ＣＳとしてＬｏｎｚａ，Ｉｎｃ．Ｆａｉｒｌａｗｎ  ＮＪより市販）を上記手順を使用して凝析剤として試験した。両方とも凝集形成およびスラッジの可溶性において有効ではないことを証明した。わずかな程度の相分離が、両方について観察された。
【００７９】
（実施例６）
ポリ［オキシエチレン（ジメチルイミノ）エチレン］（Ｒｅｃｏｏｌ  Ａｄｄ８としてＰＰＧ  Ｉｎｄｕｓｔｒｉｅｓ，Ｉｎｃ．より市販）を上記手順に従って凝析剤として試験した。この物質は、凝集形成、スラッジの可溶性、および相分離において非常に有効であることを証明した。
【００８０】
（実施例７）
同時係属中の米国特許出願０９／９１６１０４に示されるキトサンおよびアルミニウム塩の酸性溶液の混合物を含むキトサン凝析剤を上記手順に従って試験し、これらは、凝集形成、スラッジの可溶性、および相分離において非常に有効であることを示した。
【００８１】
（実施例８）
２つのポリ塩化ジアリルジメチルアンモニウム化合物（Ｐｅａｒｌ  Ｒｉｖｅｒ  Ｐｏｌｙｍｅｒ  ４４４０およびＰｅａｒｌ  Ｒｉｖｅｒ  Ｐｏｌｙｍｅｒ  ４５４０としてＣｈｅｍｔａｌｌ，Ｉｎｃ．Ｒｉｃｅｂｏｒｏ  ＮＪより市販）を上記手順を使用して共凝析剤として試験した。これらの化合物は、凝集形成、スラッジの可溶性、および相分離において非常に有効であることを示した。
【００８２】
（実施例９）
多くのエピクロロヒドリン−ジメチルアミン化合物（ＰＰＧ  Ｉｎｄｕｓｔｒｉｅｓ，Ｉｎｃ．より市販されているＢＣＴＬ８００５、およびＣｙｔｅｃ  Ｉｎｄｕｓｔｒｉｅｓ，Ｉｎｃ．Ｗｅｓｔ  Ｐａｔｅｒｓｏｎ，ＮＪより市販されているＣ−５７２、Ｃ−５７３、Ｃ−５７７、Ｃ−５８１およびＣ−５８２を含む）を上記手順を使用して凝析剤として試験した。これらの物質全ては、凝集形成、スラッジの可溶性、および相分離において有効であることを示した。
【００８３】
上記の実施形態に対して、その広範な発明の概念から逸脱することなく変更がなされ得ることが、当業者により理解される。従って、本発明は、開示された特定の実施形態に制限されないが、添付の特許請求の範囲により規定される本発明の精神および範囲内である改変を包含することを意図することが理解される。
【国際調査報告】
2006525871.tif 000006
2006525871.tif 000007
2006525871.tif 000008
2006525871.tif 000009
2006525871.tif 000010